(57)【要約】【課題】収穫した穀粒を良好に貯留することができるものでありながら、穀粒タンクの内部のメンテナンス作業を容易に行えるようにすることが望まれていた。【解決手段】穀粒タンク７における側板５０が、貯留空間を閉塞して穀粒の貯留を可能にする貯留状態と、貯留空間を外部に開放して貯留空間へのアクセスを可能にするメンテナンス状態とに切り換え可能に設けられている。【選択図】図５
2020099365.tif 000002
【特許請求の範囲】
【請求項１】
穀粒を貯留する穀粒タンクが備えられ、
前記穀粒タンクの側板が、貯留空間を閉塞して穀粒の貯留を可能にする貯留状態と、前記貯留空間を外部に開放して前記貯留空間へのアクセスを可能にするメンテナンス状態とに切り換え可能に設けられているコンバイン。
【発明の詳細な説明】
【技術分野】
【０００１】
本発明は、収穫した穀粒を貯留する穀粒タンクを備えているコンバインに関する。
【背景技術】
【０００２】
従来では、穀粒タンクの外周面は、前側面、後側面、及び、左右両側の側面が全て一連に連なるように連結された状態の壁体によって構成され、壁体によって囲まれた内部に貯留空間が形成されていた（例えば、特許文献１参照。）。
【先行技術文献】
【特許文献】
【０００３】
【特許文献１】特開２０１４−６８５６１号公報
【発明の概要】
【発明が解決しようとする課題】
【０００４】
上記従来構成は、穀粒タンクの外周面が全て一連に連なるように連結された状態の壁体によって構成されるから、隙間のない周壁面によって略密閉状に閉じられた空間を形成して、収穫された穀粒を良好に貯留することが可能である。
【０００５】
しかし、上記従来構成では、例えば、収穫作業が終了した後に、貯留空間の内部壁面に付着堆積している塵埃や残留穀粒を除去する清掃作業等のタンク内部のメンテナンス作業が行い難い不利があった。メンテナンス作業を行えるようにするために、例えば、穀粒タンクの上面の一部に開閉可能な蓋体によって閉塞された開口が形成され、この開口を通して穀粒タンクの上方側から作業を行えるようにしたものもあるが、大型の穀粒タンクに対して上方側からの作業は行い難いものであった。
【０００６】
そこで、収穫した穀粒を良好に貯留することができるものでありながら、穀粒タンクの内部のメンテナンス作業を容易に行えるようにすることが望まれていた。
【課題を解決するための手段】
【０００７】
本発明に係るコンバインの特徴構成は、内部の貯留空間に収穫した穀粒を貯留する穀粒タンクが備えられ、
前記穀粒タンクにおける側板が、前記貯留空間を閉塞して穀粒の貯留を可能にする貯留状態と、前記貯留空間を外部に開放して前記貯留空間へのアクセスを可能にするメンテナンス状態とに切り換え可能に設けられ、
前記穀粒タンクは、前記側板とそれ以外のタンク本体部とを備え、
前記貯留状態に切り換えられた前記側板を、前記タンク本体部に連結する連結装置が備えられ、
前記連結装置は、前記タンク本体部及び前記側板のうちの一方に設けられた係止部材と、前記タンク本体部及び前記側板のうちの他方に設けられるとともに、前記係止部材が係止するフレーム体とを備えている点にある。
【０００８】
本発明によれば、収穫作業を行うときは、穀粒タンクの側板を貯留状態に切り換えることにより、収穫された作物を穀粒タンク内部の貯留空間に貯留することができる。収穫作業が終了して、清掃作業等のメンテナンス作業を行う場合には、穀粒タンクの側板をメンテナンス状態に切り換える。このようにメンテナンス状態に切り換えると、貯留空間が外部に開放されて、作業者が貯留空間内に入り込むことが可能となる。
【０００９】
その結果、作業者が貯留空間内に入り込むことにより、貯留空間の内部壁面に付着堆積している塵埃や残留穀粒を除去する清掃作業等のメンテナンス作業を煩わしさなく容易に行うことができる。
【００１０】
連結装置が、タンク本体部及び側板のうちの一方に設けられた係止部材を他方に設けられたフレーム体に係止させることにより、貯留状態に切り換えられた側板をタンク本体部に連結することができる。このように係止部材とフレーム体とを備える連結装置によって、貯留状態の側板とタンク本体とを連結して、タンク内部を穀粒の貯留に適した略密閉状に閉じられた空間にすることができ、穀粒の貯留を良好に行うことができる。
【００１１】
従って、収穫した穀粒を良好に貯留することができるものでありながら、穀粒タンクの内部のメンテナンス作業を容易に行えるようにすることが可能となった。
【００１２】
本発明においては、前記フレーム体は、機体前後方向に沿って延びて、前記穀粒タンクの前部と後部とに亘っていると好適である。
【００１３】
本構成によれば、穀粒タンクの前部と後部とを連結するフレーム体によって、側板が開放されることに起因した穀粒タンクの支持強度の低下を防止することができる。連結用のフレーム体を利用して、穀粒の貯留を良好に行える支持強度を確保することが可能となる。
【００１４】
本発明においては、前記フレーム体は、前記タンク本体部に備えられていると好適である。
【００１５】
本構成によれば、側板がメンテナンス状態に切り換わると、タンク本体部は貯留空間が外部に開放される構成であり、そのことに起因してタンク本体部の支持強度がそれだけ低下するおそれがある。本構成によれば、フレーム体がタンク本体部に備えられるので、連結用のフレーム体を利用して、タンク本体部に穀粒の貯留に必要な支持強度を備えさせることができる。
【００１６】
本発明においては、前記タンク本体部に、前記フレーム体から夫々異なる方向に延び、且つ、前記側板とは異なる面状のタンク構成体と前記フレーム体とを連結する複数の補助フレーム体が備えられていると好適である。
【００１７】
本構成によれば、フレーム体と、メンテナンス状態に切り換わる側板とは異なる面状のタンク構成体とが、複数の補助フレーム体によって連結される。タンク本体部と側板とを連結するために充分な支持強度を有するフレーム体と、夫々異なる方向に延びる複数の補助フレーム体によって面状のタンク構成体と連結することにより、タンク本体部全体の支持強度をより一層大きくすることができる。
【００１８】
フレーム体だけでタンク本体部全体の必要な支持強度を得るものでは、フレーム体が大型の部材になり、貯留容量を犠牲にするおそれがある。それに対して、本構成では、複数の補助フレーム体を設けることで、フレーム体や補助フレーム体として、貯留容量を犠牲にしない程度の小型の部材を用いるようにしながら、必要な支持強度を得ることができる。
【００１９】
本発明においては、前記側板が縦向き軸芯周りに揺動開閉自在であると好適である。
【００２０】
本構成によれば、側板が縦向き軸芯周りの揺動により切り換わるので、側板の荷重を揺動支持部に支持した状態で切り換えることができる。例えば、穀粒タンクから側板を取り外してメンテナンス状態に切り換え、且つ、穀粒タンクに側板を取り付けることにより貯留状態に切り換える構成等に比べて、側板の貯留状態とメンテナンス状態との間での切り換え作業を荷重負担の少ない状態で楽に行うことが可能となる。
【００２１】
側板を縦軸芯周りで揺動させてメンテナンス状態に切り換えると、側板がメンテナンス状態に切り換わることによって形成された開口の下方側や上方側には邪魔なものがなく、作業者は開口を通して穀粒タンクの内部にアクセスし易い。
【００２２】
本発明においては、前記側板は、前記穀粒タンクの外周部のうちの機体外側の側部を構成していると好適である。
【００２３】
本構成によれば、穀粒タンクの機体外側に位置する側板が開放されるので、メンテナンス作業を行う作業者は、機体外側に臨む状態で開放されている箇所から容易にタンク内部にアクセスすることができ、作業を能率よく行える。
【００２４】
本発明においては、前記係止部材は、略Ｕ字状の係止溝を有するフック状部材にて構成され、且つ、操作レバーの揺動操作により前記フレーム体に引っ掛かり係止する係止状態と係止を解除する解除状態とに切り換え可能に構成されていると好適である。
【００２５】
本構成によれば、操作レバーの揺動操作によって、係止部材を係止状態に切り換えると、係止部材に備えられた係止溝がフレーム体に引っ掛かり係止して、側板とタンク本体部とが連結される状態となる。操作レバーの揺動操作によって、係止部材を解除状態に切り換えると、係止部材のフレーム体に対する係止が解除され、側板とタンク本体部との連結が解除される。
【００２６】
側板を貯留状態に切り換えている状態で、操作レバーを揺動させるという簡単な操作によって、側板をタンク本体部に連結する状態と、連結を解除する状態とに切り換えることができる。
【００２７】
本発明においては、前記操作レバーを揺動自在に支持する回動軸が備えられ、
前記係止部材が前記回動軸に一体的に回動自在に連結され、
前記操作レバーの揺動操作に伴う前記回動軸の回動により、前記係止部材が前記係止状態と前記解除状態とに切り換わると好適である。
【００２８】
本構成によれば、操作レバーを揺動自在に支持するために設けられる回動軸に係止部材を連結するという簡単な構造の連係機構により、側板の連結並びに解除操作を行うことができる。回動軸は操作レバーと一体的に回動し、係止部材は回動軸と一体的に回動するものであるから、操作レバーを操作すると、それに伴って係止部材の切り換え操作が的確に行われる。
【００２９】
本発明においては、前記タンク本体部及び前記側板のうちの前記係止部材が設けられる側に、上下方向にのみ移動可能に支持されるとともに、前記回動軸の回動に伴って上下方向に移動可能に前記回動軸に連動連結されたロッドが備えられ、
前記タンク本体部及び前記側板のうちの前記フレーム体が備えられる側に、傾斜案内部材が備えられ、
前記ロッドは、前記傾斜案内部材に摺動案内されて、前記係止部材が前記係止状態となるように前記操作レバーが操作されると、前記側板を前記タンク本体部側に引き寄せると好適である。
【００３０】
本構成によれば、操作レバーを操作すると、それに伴って、係止部材の切り換え操作が行われるとともに、ロッドが上下方向に沿って移動する。係止部材が係止状態となるように操作レバーが操作されると、ロッドが傾斜案内部材に摺動案内されて、側板をタンク本体部側に引き寄せるような操作力が働く。その結果、側板とタンク本体とが押し付けられて接当箇所が密接状態となる。
【００３１】
従って、操作レバーの操作に伴って、側板とタンク本体との連結が行われるとともに、側板とタンク本体とが密接状態となり、タンク内部に略密閉状に閉じられた空間を形成することができる。
【００３２】
本発明においては、前記傾斜案内部材は、前記タンク本体部と前記側板との接近離間方向での位置を変更調節可能であると好適である。
【００３３】
本構成によれば、傾斜案内部材の位置を調節することにより、ロッドの上下移動に伴う側板とタンク本体との接近離間方向での移動操作量、言い換えると、側板をタンク本体部側に引き寄せるときの引き寄せ量を適切な量に調整することができる。
【００３４】
本発明においては、前記穀粒タンクの内部に穀粒の品質を計測する品質計測装置が備えられ、
前記品質計測装置が前記フレーム体に支持されていると好適である。
【００３５】
本構成によれば、品質計測装置によって、収穫されて穀粒タンクに貯留される穀粒の品質を計測することができる。支持強度の大きいフレーム体を利用して品質計測装置を支持するので、穀粒タンクの内部において安定した状態で品質計測装置を支持することができる。
【図面の簡単な説明】
【００３６】
【図１】コンバインの全体側面図である。
【図２】コンバインの全体平面図である。
【図３】穀粒タンクの一部縦断背面図である。
【図４】穀粒タンクの一部横断平面図である。
【図５】メンテナンス状態における穀粒タンクの斜視図である。
【図６】タンク本体部の側面図である。
【図７】右側壁部を開いている状態の穀粒タンクの縦断背面図である。
【図８】右側壁部を閉じている状態の穀粒タンクの縦断背面図である。
【図９】穀粒タンクの横断平面図である。
【図１０】右側壁部の縦断背面図である。
【図１１】右側壁部の側面図である。
【図１２】品質計測装置の支持状態を示す斜視図である。
【図１３】開閉壁部の上部の斜視図である。
【図１４】操作レバー配設部の分解斜視図である。
【図１５】トグルバネの装着状態を示す縦断背面図である。
【図１６】係止案内体を示す縦断背面図である。
【図１７】係止案内体を示す縦断背面図である。
【図１８】別実施形態の右側壁部の横断平面図である。
【図１９】別実施形態の制御動作のフローチャートである。
【発明を実施するための形態】
【００３７】
以下、本発明の実施の形態を自脱型のコンバインに適用した場合について図面に基づいて説明する。
【００３８】
〔全体構成〕
図１及び図２に示すように、本発明に係るコンバインは、左右一対のクローラ走行装置１，１によって自走する走行機体２の前部に、植立穀稈を刈り取る刈取部３が備えられている。走行機体２の前部右側に、キャビン４にて周囲が覆われた運転部５が備えられている。運転部５の後方には、刈取部３にて刈り取られた穀稈を脱穀処理する脱穀装置６と、脱穀処理にて得られた穀粒を貯留する穀粒タンク７とが、横方向に並ぶ状態で配備されている。穀粒タンク７は機体右側に位置し、脱穀装置６は機体左側に位置している。つまり、運転部５は穀粒タンク７の前方に位置している。運転部５における運転座席８の下方にエンジンＥが備えられている。走行機体２の後部であって穀粒タンク７の後方に、穀粒タンク７に貯留された穀粒を機外に排出する穀粒排出装置９が備えられている。
【００３９】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００４０】
刈取部３は、刈取対象となる植立穀稈の株元を分草案内する分草具１０と、分草された植立穀稈を縦姿勢に引き起こす複数の引き起こし装置１１、引き起された植立穀稈の株元を切断するバリカン型の刈取装置１２、刈取穀稈を縦姿勢から徐々に横倒れ姿勢になるように姿勢変更しながら後方に搬送して脱穀装置６に供給する縦搬送装置１３等を備えている。縦搬送装置１３の上方側は防塵カバー１４によって覆われている。
【００４１】
図示はしていないが、脱穀装置６は、供給された刈取穀稈の株元側を脱穀フィードチェーンによって挟持搬送しながら、穂先側を扱室にて扱き処理して脱穀処理を行う。脱穀処理された後の処理物が下方の選別部にて穀粒とワラ屑等に選別される。穀粒は、図示しない一番物搬送スクリューにより脱穀装置６の右横側外方に搬出されたのち、揚穀コンベア１５により揚送されて穀粒タンク７の内部に搬送される。穀粒タンク７は、脱穀装置６から送り込まれる穀粒を貯留する。その後、穀粒タンク７に貯留された穀粒は、穀粒排出装置９により外部に搬出される。
【００４２】
穀粒タンク７の底部には、前後向き軸芯周りで回転して貯留される穀粒を機体後部側に向けて搬送する底部スクリュー１６が備えられている。穀粒排出装置９は、底部スクリュー１６から搬出される穀粒を受け入れて、その穀粒を上方に向けて搬送する縦送りスクリューコンベア１７と、その縦送りスクリューコンベア１７の上端部に連なる基端部から先端部の排出口１８まで穀粒を横方向に向けて搬送する横送りスクリューコンベア１９とを備えている。
【００４３】
〔品質計測装置〕
穀粒タンク７の内部に、穀粒の品質を計測する品質計測装置２０が備えられている。
図３に示すように、品質計測装置２０は、計測対象である穀粒を一時貯留する一時貯留部２１と、一時貯留部２１にて貯留されている穀粒に対して計測作用して品質を計測する計測部２２とを備えている。図３に示すように、一時貯留部２１が穀粒タンク７の内方側に位置し、計測部２２が穀粒タンク７の外方側に位置している。計測部２２は、密閉状に形成された収納ケース２３の内部に収納されている。一時貯留部２１は、収納ケース２３の内方側の側面に一体的に連結された略角筒状の貯留用ケース２４を備え、その内部に穀粒を貯留することができる。
【００４４】
一時貯留部２１は、貯留用ケース２４の内部に、上下方向に貫通する上下向き通路２５が形成され、横向き姿勢で上下向き通路２５の途中を閉じる閉状態（図３参照）と、縦向き姿勢となって上下向き通路２５を開放する開状態（図示せず）とに姿勢変更可能なシャッター板２６と、図示しない電動モータの駆動力によりシャッター板２６を姿勢変更する操作部２７とを備えている。一時貯留部２１は、揚穀コンベア１５により揚送されて穀粒タンク７の内部に搬送される穀粒の一部を受止めて貯留する。
【００４５】
揚穀コンベア１５は、スクリューコンベア２８により穀粒を上端部近くまで揚送させたのち、上端部に設けられた送り出し羽根２９によって、穀粒を穀粒タンク７に形成された開口部３０を通してタンク内方側に向けて放出する。送り出し羽根２９によって放出された穀粒のうちの一部の穀粒が、一時貯留部２１に供給される。
【００４６】
一時貯留部２１は、シャッター板２６を閉状態に切り換えている状態で、放出された穀粒を受止めて、シャッター板２６の上部に形成された貯留用の空間３１に穀粒を貯留することができる。シャッター板２６を開状態に切り換えると、貯留されていた穀粒が下方に落下排出されて穀粒タンク７の内部に戻される。
【００４７】
計測部２２は、貯留用の空間３１に貯留される穀粒に向けて光を照射し、穀粒から得られた光に基づいて、公知技術である分光分析手法によって穀粒の内部品質を計測する。貯留用の空間３１を形成する側面のうち計測部２２側の側面に光が透過可能な窓部３２が形成され、計測部２２は、この窓部３２を通して、穀粒に光を照射するとともに、穀粒からの光を受光する。
【００４８】
〔収納ケース〕
次に、収納ケース２３について説明する。
図３，４，５に示すように、収納ケース２３は、前部側に位置する縦向きの前壁部３３、後部側に位置する縦向きの後壁部３４、前壁部３３の上端部と後壁部３４の上端部とにわたって連結される縦向き板状の上部連結部３５、前壁部３３の下端部と後壁部３４の下端部とにわたって連結される下部連結部３６、機体左側（タンク内方側）に位置して上下方向に延びる内側壁部３７、機体右側（タンク外方側）に位置して上下方向に延びる外側壁部３８の夫々を備えて構成されている。下部連結部３６は、前後方向視で略Ｌ字形の断面形状であり、縦面部分と水平面部分とを備えている。
【００４９】
内側壁部３７は、平板状に設けられ、前壁部３３及び後壁部３４のタンク内方側端縁に沿って一体的に連結されている。外側壁部３８は、前後両側に折り曲げ面を有して平面視で略Ｕ字形に形成されている。外側壁部３８は、前後両側の側部折り曲げ面が前壁部３３及び後壁部３４に複数箇所でボルトＢｏで締結することにより連結されている。外側壁部３８の下部には、下部連結部３６の水平面部分と連なって収納空間の底面を形成するための下部折り曲げ面が一体的に形成されている。複数箇所のボルトＢｏを緩めて外側壁部３８を取り外すことができる。外側壁部３８を取り外すと、収納ケース２３の内部が開放され、品質計測装置２０の点検等を行うことができる。
【００５０】
収納ケース２３における、前壁部３３、後壁部３４、上部連結部３５、及び、下部連結部３６の夫々によって枠状の上下向きフレーム３９が形成されている。そして、上下向きフレーム３９を構成する前壁部３３と後壁部３４に加えて、上下向きフレーム３９にて支持される内側壁部３７と外側壁部３８との夫々によって、密閉状の収納空間が形成されている。品質計測装置２０は、内側壁部３７に連結されることにより上下向きフレーム３９の枠内に収容されている。
収納ケース２３の穀粒タンク７に対する支持構造については、後述する。
【００５１】
〔穀粒タンク〕
次に、穀粒タンク７について説明する。
図８，９に示すように、穀粒タンク７は、機体前部側に位置する前側面４０、機体後部側に位置する後側面４１、機体右側に位置する右側面４２、機体左側に位置する左側面４３の夫々により周囲が囲まれている。又、上部側は上側面４４により覆われている。従って、前側面４０、後側面４１、右側面４２、左側面４３、及び、上側面４４の夫々によって囲まれて穀粒の貯留空間Ｑが形成されている。
【００５２】
穀粒タンク７の右側面４２を構成する右側壁部４５のうちの一部（後述する開閉壁部５０）は、貯留空間Ｑを閉塞して穀粒の貯留を可能にする貯留状態と、貯留空間Ｑを外部に開放して貯留空間Ｑへの作業者のアクセスを可能にするメンテナンス状態とに切り換え可能に設けられている。
【００５３】
図５に示すように、穀粒タンク７における右側面４２を除く他の側面、すなわち、前側面４０、後側面４１、左側面４３、上側面４４の夫々は、全て一連に連なるように連結された状態の壁部材によって形成され、タンク本体部４６を構成している。図９に示すように、タンク本体部４６のうち左側面４３を構成する左側壁部４７には、揚穀コンベア１５を入り込ませた状態で配備するための凹入部４８が形成されている。
【００５４】
穀粒タンク７の右側壁部４５は、走行機体２の右横側外方に臨む状態で位置している。
右側壁部４５は、上部から下部に亘るとともに前部から後部に亘る範囲の領域を開放可能である。すなわち、図５，７に示すように、右側壁部４５には、上部から下部に亘るとともに前部から後部に亘る範囲の領域を開放するように大きく開放される状態で開口４９が形成されている。このように大きく開放されている開口４９を開閉自在な開閉壁部５０（側板の一例）によって閉塞して、内部に貯留空間Ｑを形成するように構成されている。
【００５５】
図５，６に示すように、右側壁部４５は、開閉壁部５０と開口４９の周囲を囲う枠状部分５１とを備えており、枠状部分５１は、他の側面に連結されており、タンク本体部４６の一部を構成している。図８に示すように、開閉壁部５０が貯留状態に切り換えられて、後述するように開閉壁部５０と枠状部分５１とが一体的に連結されることで、右側壁部４５を構成する。
【００５６】
図５に示すように、開閉壁部５０は、穀粒タンク７の後方に位置する縦向き支軸５２の軸芯Ｙ１周りで揺動開閉可能にタンク本体部４６に支持されている。タンク本体部４６の後側面４１を構成する後側壁部５３の右側端部において、上下方向に間隔をあけて２つの回動支持部５４が設けられている。回動支持部５４は、後方に突出する支持台５５と、支持台５５から上方に延びる縦向き支軸５２とを備えている。
【００５７】
開閉壁部５０における回動支持部５４に対応する箇所には、縦向き支軸５２に対して上方側から嵌り合い係合する係合孔が形成された側面視で略Ｕ字形の枢支ブラケット５７が連結されている。上下両側の枢支ブラケット５７を縦向き支軸５２に対して嵌り合い係合させることにより、開閉壁部５０を縦向き支軸５２の軸芯Ｙ１周りで揺動自在に支持する構成となっている。
【００５８】
次に、タンク本体部４６における強度補強のための構成について説明する。
【００５９】
図５，６，９に示すように、タンク本体部４６の前部と後部とに亘って機体前後方向に延びるフレーム体としての前後向きフレーム５８が備えられている。前後向きフレーム５８は、円筒状に形成され、タンク本体部４６における前側面４０を構成する前側壁部５９と、後側面４１を構成する後側壁部５３とに亘って延びる状態で設けられている。前後向きフレーム５８は、穀粒タンク７内部の機体右側端部の上下中間部に位置する状態で設けられている。図５，６に示すように、前後向きフレーム５８の前側端部が前側壁部５９を挿通して前部側外方に露出する状態で設けられている。前後向きフレーム５８の後側端部が後側壁部５３を挿通して後部側外方に露出する状態で設けられている。前後向きフレーム５８は、前側壁部５９及び後側壁部５３の夫々を挿通した状態で、図示しない抜け止めピンにより抜け外れが阻止された状態で位置保持されている。
【００６０】
前後向きフレーム５８から夫々異なる方向に延び、且つ、開閉壁部５０とは異なる面状のタンク構成体としての左側壁部４７と前後向きフレーム５８とを連結する複数の補助フレーム体が備えられている。
【００６１】
図５，６，８，９に示すように、前後向きフレーム５８の前後中央部よりも前側に寄った位置、及び、前後中央部よりも後側に寄った位置の夫々において、前後向きフレーム５８と左側壁部４７とを連結する補助フレーム体としての丸棒材からなる第１補助フレーム６１が備えられている。図８に示すように、前後両側の第１補助フレーム６１は、前後向きフレーム５８との連結位置から左側上方に向けて延設され、左側壁部４７の上部側箇所に連結されている。
【００６２】
又、前後向きフレーム５８の前後中央部と左側壁部４７の下部側箇所とを連結する補助フレーム体としての帯板材からなる第２補助フレーム６２が備えられている。第２補助フレーム６２は、品質計測装置２０を収納する収納ケース２３の下端部と左側壁部４７の下部側箇所とに亘って設けられている。説明を加えると、図３，８に示すように、収納ケース２３の下部に一体的にブラケット６３が設けられている。又、左側壁部４７の下部側箇所には、断面Ｌ字形に形成された補強部材６４が連結されている。第２補助フレーム６２の一端部がブラケット６３にボルトＢｏにて締結して連結されている。第２補助フレーム６２の他端部が補強部材６４にボルトＢｏにて締結して連結されている。
【００６３】
上述したように、前後向きフレーム５８、２つの第１補助フレーム６１及び１つの第２補助フレーム６２を備えているから、右側壁部４５が大きく開口されているタンク本体部４６の支持強度を高めることができる。説明を加えると、前後向きフレーム５８によって前側壁部５９と後側壁部５３とが連結されるので、前側壁部５９と後側壁部５３とが穀粒の重量で外方に張り出すように力を受けても、前後向きフレーム５８によってその力を受止めて変形を防止できる。図８に示すように、左側壁部４７の上部側箇所が穀粒の重量で外方に張り出すように力を受けても、第１補助フレーム６１によってその力を受止めて変形を防止できる。左側壁部４７の下部側箇所も同様に、第２補助フレーム６２によって変形を防止できる。
【００６４】
品質計測装置２０を収納する収納ケース２３の支持構造について説明する。
収納ケース２３における上下向きフレーム３９の下部が、前後向きフレーム５８に係合する状態で載置支持されている。すなわち、図３に示すように、前壁部３３及び後壁部３４の下端部に、前後向きフレーム５８に係合する係合凹部６５が形成されている。前壁部３３及び後壁部３４夫々の係合凹部６５が、前後向きフレーム５８に上側から係合した状態で、前後向きフレーム５８に受止め支持することができる。
【００６５】
上下向きフレーム３９の上部が、穀粒タンク７の上部に連結されている。すなわち、図３，６，８に示すように、上部連結部３５が、穀粒タンク７の右側壁部４５における開口４９の周囲の枠状部分５１のうちの上側縁部５１ａに、タンク内方側から当て付けた状態で前後２箇所をボルトＢｏで締結して連結されている。
【００６６】
次に、開閉壁部５０における強度補強のための構成について説明する。
【００６７】
図８に示すように、開閉壁部５０は前後方向視で緩やかな円弧状に形成されている。図５，１０，１１に示すように、開閉壁部５０のタンク内方側の上部側箇所に上部側補強部材６７が備えられている。上部側補強部材６７は、板材を断面略Ｕ字形に折り曲げて形成され且つ前後方向に延びる状態で設けられている。上部側補強部材６７は、前後方向全域にわたり開閉壁部５０の壁面に一体的に連結されている。上部側補強部材６７と開閉壁部５０の壁面とによって角筒状のフレーム体６８が構成されている。開閉壁部５０の後部側端部には、上下両側の枢支ブラケット５７を介して開閉壁部５０全体を支持するための角筒状の縦向き補強部材６９が備えられている。
【００６８】
開閉壁部５０のタンク内方側の下部側箇所には、下部側補強部材７０が備えられている。下部側補強部材７０は、板材を略Ｕ字形に折り曲げて形成され且つ前後方向に延びる状態で設けられている。下部側補強部材７０は、前後方向全域にわたり開閉壁部５０の壁面に一体的に連結されている。
【００６９】
下部側補強部材７０の上部側には傾斜案内体７１が備えられている。傾斜案内体７１は、貯留している穀粒を下部側補強部材７０の上方側を迂回して下方の底部スクリュー１６に向けて流下案内する傾斜面７１ａを備えている。開閉壁部５０のタンク内方側の上下中間部には、板材を略山形状に折り曲げて形成され且つ前後方向に延びる中間側補強部材７２が備えられている。中間側補強部材７２は前後方向全域にわたり開閉壁部５０の壁面に一体的に連結されている。
【００７０】
開閉壁部５０のタンク内方側には、上部側補強部材６７と下部側補強部材７０とにわたって、上下方向に延びる複数の縦向き支持板が、前後方向に間隔をあけて複数備えられている。具体的には、図４，５，９，１１に示すように、縦向き支持板として、開閉壁部５０の前部側端部に位置する第１の縦向き支持板７３、前部側端部よりも設定幅だけ後部側に寄った箇所に位置する第２の縦向き支持板７４、前後中間部に位置する第３の縦向き支持板７５の夫々が備えられている。複数の縦向き支持板７３，７４，７５は夫々、断面Ｌ字形の板体からなり、開閉壁部５０のタンク内方側の側面に一体的に連結されている。
【００７１】
図５，１１に示すように、上部側補強部材６７は、開閉壁部５０の前後方向の全幅にわたって設けられている。中間側補強部材７２、傾斜案内体７１、下部側補強部材７０は、夫々、第２の縦向き支持板７４と縦向き補強部材６９とにわたって設けられている。
【００７２】
次に、開閉壁部５０をタンク本体部４６に連結するための連結構造について説明する。
貯留状態の開閉壁部５０の揺動側端部をタンク本体部４６に連結する連結装置７６が備えられている。図７，８，１０に示すように、連結装置７６は、タンク本体部４６に設けられた前後向きフレーム５８と、開閉壁部５０に設けられて前後向きフレーム５８に係止する係止部材７７と、係止部材７７を前後向きフレーム５８に係止する係止状態と係止を解除する解除状態とに切り換える切換操作機構７８とを備えている。図１０に示すように、係止部材７７は、略Ｕ字状の係止溝７９を有するフック状部材にて構成されている。
【００７３】
切換操作機構７８は、操作レバー８０の揺動操作により、係止部材７７が前後向きフレーム５８に引っ掛かり係止する係止状態と、係止を解除する解除状態とに切り換え操作可能に構成されている。図４，１０，１１に示すように、切換操作機構７８は、操作レバー８０を揺動自在に支持する回動軸８１を備え、係止部材７７が回動軸８１に一体的に回動自在に連結されている。操作レバー８０の揺動操作に伴う回動軸８１の回動により、係止部材７７が係止状態と解除状態とに切り換わる。
【００７４】
回動軸８１は、開閉壁部５０のタンク内方側の近い位置において、開閉壁部５０の前後中間部と前部とにわたって前後方向に延びる状態で備えられている。回動軸８１は、第２の縦向き支持板７４と第３の縦向き支持板７５に形成された挿通孔（図示せず）を夫々挿通して、第２の縦向き支持板７４と第３の縦向き支持板７５とにより回動自在に支持されている。
【００７５】
図４に示すように、回動軸８１の前後両側端部には、係止部材７７に一体的に連結された筒軸部８２が外挿する状態で設けられている。図１４に示すように、回動軸８１の前側端部に位置する筒軸部８２に、Ｌ字形の棒材からなる操作レバー８０の支軸部８４が差し込み装着されている。操作レバー８０の支軸部８４と筒軸部８２とにわたり抜け止めピン８３が装着されて、抜け外れが阻止されるとともに、支軸部８４と筒軸部８２とが一体的に回動する構成となっている。回動軸８１の後側端部においても、回動軸８１と筒軸部８２とにわたり抜け止めピン８３が装着されて、抜け外れが阻止されるとともに、それらが一体的に回動する状態で設けられている。図４に示すように、前部側に位置する筒軸部８２が第２の縦向き支持板７４に接当し、後部側の筒軸部８２が第３の縦向き支持板７５に接当して、回動軸８１の抜け外れが阻止されている。
【００７６】
図１４に示すように、操作レバー８０は、第１の縦向き支持板７３と第２の縦向き支持板７４との間に位置する状態で備えられている。開閉壁部５０の壁部のうち、第１の縦向き支持板７３と第２の縦向き支持板７４との間における操作レバー８０が対応する位置に、取り外し可能な蓋体８５（図１参照）によって覆われた開口８６が形成されている。蓋体８５を取り外すと、開口８６を通して操作レバー８０が外方に臨む状態となり、機体外部から作業者が手動操作可能な状態となる。
【００７７】
図４及び図１０，１５の実線にて示すように、操作レバー８０が開閉壁部５０の内部に位置する縦向き姿勢に切り換えられると、係止部材７７が前後向きフレーム５８に係止して、貯留状態の開閉壁部５０の揺動側端部とタンク本体部４６とが連結される。図１４に白抜き矢符にて示すように、開口８６を通して手動で操作レバー８０を外方側に引き操作して、操作レバー８０が傾斜姿勢に切り換えられると、係止部材７７が前後向きフレーム５８に対する係止が解除され、開閉壁部５０の揺動側端部とタンク本体部４６との連結が解除される。
【００７８】
図４，１５に示すように、後部側の係止部材７７と第３の縦向き支持板７５とにわたってトグルバネ８７が張設されている。操作レバー８０が縦向き姿勢に切り換えられると、トグルバネ８７は、前後方向視で回動軸８１の軸芯よりも下側に位置して、係止部材７７を下方側に向けて回動付勢する。その結果、係止部材７７は前後向きフレーム５８に係止する状態が維持される。一方、操作レバー８０が外方側の傾斜姿勢に切り換えられると、トグルバネ８７は、前後方向視で回動軸８１の軸芯よりも上側に位置して、係止部材７７を上方側に向けて回動付勢する。その結果、係止部材７７は前後向きフレーム５８から離間した解除状態が維持される。
【００７９】
係止部材７７が前後向きフレーム５８に係止すると、開閉壁部５０が穀粒の重量で外方に張り出すように力を受けても、前後向きフレーム５８によってその力が受止められて変形を防止できる。又、前後向きフレーム５８と右側壁部４５における開口４９の周囲の枠状部分５１とが、上下向きフレーム３９を介して連結される。その結果、前後向きフレーム５８は、図８に示すように、第１補助フレーム６１、第２補助フレーム６２、係止部材７７、収納ケース２３により、周方向に異なる複数の方向に対して受止め保持されるので、穀粒タンク７の各側面に係る荷重を分散させた状態で互いに受止め合うことができ、支持強度を向上させることができる。
【００８０】
切換操作機構７８は、開閉壁部５０を貯留状態で位置保持するとともに、開閉壁部５０をタンク本体部４６側に引き寄せて隙間を無くして貯留空間の閉塞性を高めるための構成を備えている。以下、その構成について説明する。
【００８１】
図７，８，１０，１１に示すように、開閉壁部５０に、上下方向にのみ移動可能に支持されるとともに、回動軸８１の回動に伴って上下方向に移動可能に回動軸８１に連動連結された複数のロッド８８が備えられ、タンク本体部４６に複数の傾斜案内部材８９が備えられている。そして、係止部材７７が係止状態となるように、操作レバー８０が傾斜姿勢から縦向き姿勢に切り換え操作されると、ロッド８８が、傾斜案内部材８９に摺動案内されて、開閉壁部５０をタンク本体部４６側に引き寄せるように構成されている。
【００８２】
説明を加えると、側面視で、回動軸８１の前後両端部に対応する箇所であって、且つ、開閉壁部５０の上部側箇所及び下部側箇所の夫々に、合計４本のロッド８８が上下方向にのみ移動可能に備えられている。
【００８３】
図１０，１１に示すように、第２の縦向き支持板７４及び第３の縦向き支持板７５夫々の上部側途中部に、ロッド８８が挿通する挿通孔が形成された側面視略Ｌ字形の上部側支持部材９０が設けられている。又、上部側補強部材６７にロッド８８が挿通する挿通孔が形成されている。上側に位置する２本のロッド８８は、上部側支持部材９０及び上部側補強部材６７の夫々に形成された挿通孔を挿通する状態で設けられ、上下方向にのみ移動可能に支持されている。
【００８４】
図１０，１１に示すように、前後方向視で略Ｕ字形に形成され、且つ、ロッド８８が挿通する挿通孔が形成された下部側支持部材９１が設けられている。下部側支持部材９１は、下部側補強部材７０と傾斜案内体７１に連結されている。下側に位置する２本のロッド８８は、下部側支持部材９１の上下両側部に形成された挿通孔を挿通する状態で設けられ、上下方向にのみ移動可能に支持されている。
【００８５】
図１０，１４に示すように、回動軸８１の前後両側端部に外挿された筒軸部８２に回動軸８１と一体回動する操作体９２が連結されている。操作体９２は前後の筒軸部８２の前後中間側箇所に設けられている。すなわち、前部側の操作体９２は、前部側の筒軸部８２の後端部に設けられている。後部側の操作体９２は、後部側の筒軸部８２の前端部に設けられている。
【００８６】
操作体９２は、回動軸８１から径方向外方側に延びる第１アーム部９２Ａと、その第１アーム部９２Ａとは逆向きに径方向外方側に延びる第２アーム部９２Ｂとを備えている。
第１アーム部９２Ａの外端部と、上側のロッド８８とがリンク部材９３によって枢支連結されている。第２アーム部９２Ｂの外端部と、下側のロッド８８とがリンク部材９３によって枢支連結されている。操作レバー８０の操作に伴って回動軸８１が回動して、操作体９２とリンク部材９３を介してロッド８８が上下方向にスライド移動する。
【００８７】
図５，１０に示すように、タンク本体部４６の枠状部分５１におけるロッド８８がスライド移動する箇所に、複数の傾斜案内部材８９が備えられている。上側に位置する２つの傾斜案内部材８９は、枠状部分５１におけるタンク外側の箇所に設けられている。下側に位置する２つの傾斜案内部材８９は、枠状部分５１におけるタンク内側の箇所に設けられている。上側に位置する２つの傾斜案内部材８９は、下端部が枠状部分５１から離間する側に位置し、上方に向かうほど枠状部分５１に近づくような傾斜面を備えている。下側に位置する２つの傾斜案内部材８９は、上端部が枠状部分５１から離間する側に位置し、下方に向かうほど枠状部分５１に近づくような傾斜面を備えている。
【００８８】
図６，１０に示すように、複数の傾斜案内部材８９は夫々、枠状部分５１を挿通する２本のネジ軸部８９ａが一体的に備えられ、ネジ軸８９ａに螺合するナット８９ｂで締め付けて枠状部分５１に固定されている。傾斜案内部材８９は、枠状部分５１に対するネジ軸部８９ａのナット８９ｂによる締め付け位置を変更することにより、タンク本体部４６と開閉壁部５０との接近離間方向での位置を変更調節可能に設けられている。
【００８９】
操作レバー８０が縦向き姿勢に切り換えられると、操作体９２とリンク部材９３を介して、上側のロッド８８は上方に移動し、下側のロッド８８は下方に移動する。上側のロッド８８は、タンク本体部４６に備えられた上側の傾斜案内部材８９に摺動案内され、下側のロッド８８は、タンク本体部４６に備えられた下側の傾斜案内部材８９に摺動案内される。ロッド８８と傾斜案内部材８９との摺動案内によって、開閉壁部５０とタンク本体部４６とが相対変位して、開閉壁部５０がタンク本体部４６に近づく方向に引き寄せられる。その結果、開閉壁部５０とタンク本体部４６の開口４９の周囲の枠状部分５１とが密に接触して穀粒を貯留可能な状態となる。
【００９０】
上述したような開閉壁部５０をタンク本体部４６に連結するための連結構造を備えることにより、開閉壁部５０が閉じ状態となって枠状部分５１に密に接触することにより、開閉壁部５０が貯留状態に切り換わる。従って、右側壁部４５には、開閉壁部５０と枠状部分５１だけでなく、開閉壁部５０をタンク本体部４６に連結するための連結構造、すなわち、前後向きフレーム５８、係止部材７７と、切換操作機構７８等も含まれる。開閉壁部５０と枠状部分５１との接触箇所、つまり、上部側補強部材６７と枠状部分５１との接触箇所、及び、下部側補強部材７０と枠状部分５１との接触箇所には、シール部材を介在させておくとよい。
【００９１】
操作レバー８０が傾斜姿勢（図１０の仮想線）に切り換えられると、図１５に仮想線にて示すように、係止部材７７が解除状態となる。それに伴って、図７に示すように、操作体９２とリンク部材９３を介して、上側のロッド８８は下方に移動して傾斜案内部材８９との係合が解除され、下側のロッド８８は上方に移動して傾斜案内部材８９との係合が解除される。その結果、開閉壁部５０が閉塞状態に切り換わり、右側壁部４５がメンテナンス状態に切り換わる。
【００９２】
図４に示すように、開閉壁部５０の第１の縦向き支持板７３と第２の縦向き支持板７４とで挟まれるレバー収納領域Ｗに操作レバー８０が備えられる。図４，６に示すように、タンク本体部４６の右側面におけるレバー収納領域Ｗに対応する箇所には壁面部９４が形成されている。又、この壁面部９４の後端縁には上下方向に長い仕切り板９５が設けられ、この仕切り板９５と第２の縦向き支持板７４とによって、レバー収納領域Ｗと貯留空間Ｑとが仕切られる構成となっている。その結果、貯留空間Ｑに穀粒が貯留されていても、操作レバー８０が備えられるレバー収納領域Ｗには穀粒がなく、操作を容易に行える。
【００９３】
開閉壁部５０は、後部側の縦軸芯Ｙ１周りで片持ち状に支持される構成であるから、枢支箇所におけるガタや使用に伴う摩耗等によって、揺動端側が基端側に比べて少し下がり、斜め姿勢になるおそれがある。そこで、このような姿勢変化に対して、貯留状態に切り換えるときに、開閉壁部５０の揺動端側を適正位置に持ち上げ案内するための機構が設けられている。
【００９４】
すなわち、図１０に示すように、開閉壁部５０における下部側補強部材７０は、貯留状態に切り換えられると、枠状部分５１の下側縁部に接当して蜜に接触する状態となる。この下部側補強部材７０における枠状部分５１の下側縁部に接当する箇所は、タンク内側ほど上側に位置するような傾斜姿勢となっている。この構成により、例えば、開閉壁部５０の揺動端側が基端側に比べて少し下がり、斜め姿勢になっている場合であっても、開閉壁部５０を貯留状態に切り換えて、切換操作機構７８による連結操作が行われると、下部側補強部材７０の傾斜面が枠状部分５１の下側縁部に乗り上げて、開閉壁部５０を適正位置に持ち上げ案内することができる。
【００９５】
次に、品質計測装置２０を冷却するための冷却風案内経路について説明する。
品質計測装置２０における穀粒に照射する計測用の光は大きな光量が必要である。このような大きな光量の光を投射する光源（例えば、ハロゲンランプ等）は発熱量も大きくなる。そこで、外気を取り入れて収納ケース２３内の高温の空気を外部に排出する冷却風案内経路が備えられている。
【００９６】
図１２，１３に示すように、穀粒タンク７の外周部のうちの品質計測装置２０が設けられた側の側壁部に相当する右側壁部４５に、品質計測装置２０を冷却するための空気を導入する導入口９６と、品質計測装置２０を冷却した後の空気を排出する排出口９７とが備えられている。導入口９６と品質計測装置２０とを連通接続する導入用通気経路９８、及び、排出口９７と品質計測装置２０とを連通接続する排出用通気経路９９が、右側壁部４５に沿って設けられている。
【００９７】
収納ケース２３に、導入用通気経路９８に形成された通気用の開口１００と接続される空気導入用の開口１０１、及び、排出用通気経路９９に形成された通気用の開口１０５と接続される排気用の開口１０３が形成されている。そして、タンク本体部４６に備えられた本体側の中空状フレームとしての前後向きフレーム５８により、導入用通気経路９８が構成されている。開閉壁部５０に備えられた側板側の中空状フレームとしての角筒状のフレーム体６８により、排出用通気経路９９が構成され、導入用通気経路９８と排出用通気経路９９とが収納ケース２３を介して連通している。
【００９８】
説明を加えると、図３，１２に示すように、収納ケース２３の下部において、収納ケース２３の内部空間と前後向きフレーム５８の内部空間とが連通接続する連通用筒部１０４が設けられている。この連通用筒部１０４の上端部は収納ケース２３の内部空間に開放されている。連通用筒部１０４は、下部連結部３６の水平面部分を上下方向に挿通するとともに、気密性を有する状態で水平面部分に連結されている。又、連通用筒部１０４の下端部は前後向きフレーム５８の内部空間に開放されている。連通用筒部１０４は、前後向きフレーム５８を挿通するとともに、気密性を有する状態で前後向きフレーム５８に連結されている。
【００９９】
この連通用筒部１０４により収納ケース２３の内部空間と前後向きフレーム５８の内部空間とが連通接続されている。従って、連通用筒部１０４の上端に空気導入用の開口１０１が形成され、連通用筒部１０４の下端に通気用の開口１００が形成されている。
【０１００】
図１２に示すように、前後向きフレーム５８の長手方向両側端縁は外部に開放される状態となっている。図３，１２に示すように、収納ケース２３の外側壁部３８の上部側箇所は、上部連結部３５に対して略同一平面上に位置して上下に並ぶ状態で設けられている。
外側壁部３８の上部側箇所に複数の排気用の開口１０３が形成されている。
【０１０１】
図３に示すように開閉壁部５０が貯留状態であるとき、すなわち、開閉壁部５０が閉塞状態であるときは、外側壁部３８の上部側箇所と開閉壁部５０の角筒状のフレーム体６８とが接当する状態となる。図１３に示すように、開閉壁部５０の角筒状のフレーム体６８には、内側壁部３７の上部側箇所と接当する内側面６８ａ及び上部側面６８ｂの夫々に複数の開口１０５，１０６が形成されている。内側面６８ａの開口１０５は、外側壁部３８の上部側箇所に形成された開口１０３と対向する位置に形成されている。従って、開閉壁部５０が貯留状態であるときは、角筒状のフレーム体６８の内側面６８ａに形成された開口１０５と、外側壁部３８の上部側箇所に形成された開口１０３とが連通接続される。
【０１０２】
図示はしていないが、品質計測装置２０には通風用のファンが備えられ、ファンが作動することで、収納ケース２３の下部から空気を吸気するとともに、収納ケース２３の上部から外部に排出させるように通風路が形成されている。ファンが作動することで、前後向きフレーム５８の長手方向両側端縁の開口１０７から、前後向きフレーム５８の内部空間と連通用筒部１０４を介して収納ケース２３内に外気が吸引される。収納ケース２３内の空気は、外側壁部３８の上部側箇所に形成された開口１０３、角筒状のフレーム体６８の内側面に形成された開口１０５、角筒状のフレーム体６８の内部空間、角筒状のフレーム体６８の上部側面に形成された開口１０６を通して外部に排出される。角筒状のフレーム体６８の内部空間を通過した空気は、開口１０６だけでなく、角筒状のフレーム体６８の長手方向両側端部に形成された開口１０８を通して外部に排出される（図１３参照）。
【０１０３】
従って、前後向きフレーム５８の長手方向両側端縁の開口１０７が導入口９６に対応し、前後向きフレーム５８の内部空間が導入用通気経路９８に対応している。角筒状のフレーム体６８における開口１０６及び開口１０８が排出口９７に対応し、角筒状のフレーム体６８の内部空間が排出用通気経路９９に対応している。
【０１０４】
刈取作業に伴って穀粒タンク７に穀粒が貯留される際に、その貯留動作に伴って貯留空間Ｑ内部の圧力が高くなるので、そのタンク内の空気を外部に排出させる必要がある。そして、この空気排出動作を利用して、収納ケース２３内の空気を外部に排出させることができるようになっている。すなわち、図１２に示すように、収納ケース２３の前側部にケース外側からケース内側への通気を許容し、ケース内側からケース外側への通気を禁止する逆止弁Ｖが備えられている。貯留空間Ｑ内部の圧力が高くなると、タンク内の空気が逆止弁Ｖを通して収納ケース２３から外部に排出される。
【０１０５】
開閉壁部５０の揺動端側が基端側に比べて少し下がり斜め姿勢になる姿勢変化に対して、貯留状態に切り換えるときに、開閉壁部５０の揺動端側を適正位置に持ち上げ案内するための別の案内機構として、次のような係止案内体１１０が備えられている。
【０１０６】
図４，１６に示すように、開閉壁部５０に備えられた第１の縦向き支持板７３における前後向きフレーム５８に対応する位置に係止案内体１１０が備えられている。係止案内体１１０は、断面Ｌ字形の板体からなり、第１の縦向き支持板７３からタンク内方側に片持ち状に延設され、前後向きフレーム５８に乗り上げるように作用する傾斜案内部１１１を備えている。
【０１０７】
図１６，１７に示すように、開閉壁部５０がメンテナンス状態から貯留状態に切り換わるように揺動すると、傾斜案内部１１１が前後向きフレーム５８に乗り上げて開閉壁部５０の揺動端部を適正位置に持ち上げ案内することができるとともに、貯留状態においてその位置を維持することができる。
【０１０８】
〔別実施形態〕
以下、別実施形態を列記する。
【０１０９】
（１）フレーム体としての前後向きフレーム５８をタンク本体部に備える構成に代えて、前後向きフレーム５８を開閉壁部５０に備える構成としてもよく、フレーム体として、機体前後方向に沿って延びるものに限らず、上下方向や斜め方向に延びるものでもよい。
【０１１０】
（２）側板としての開閉壁部５０を、機体前部側に位置する縦軸芯周りで揺動させる構成としてもよく、縦軸芯に代えて、前後向き軸芯周りで揺動させて開閉させるようにしてもよい。また、揺動するものに代えて、右側壁部４５を取り外しあるいは取付けによって開閉させる構成としてもよい。
【０１１１】
（３）図１８に示すように、タンク本体部４６の開口４９の枠状部分５１に、タンク内方側ほど開口内側に向けて傾斜する案内部１２０を備え、開閉壁部５０に案内部１２０に接当する傾斜姿勢の接当部１２１を備える構成としてもよい。この構成では、閉じ操作に伴って案内部１２０と接当部１２１との間での接当により密閉性をより高めることができ、しかも、穀粒タンク７全体の剛性を高める利点もある。
【０１１２】
（４）開閉壁部５０を手動にて貯留状態とメンテナンス状態とに切り換えるものに代えて、例えば、ガススプリング等のダンパーを用いて開閉操作を補助する構成としてもよく、あるいは、油圧シリンダや電動モータ等のアクチュエータを用いて自動的に開閉操作させる構成としてもよい。
【０１１３】
（５）開閉壁部５０をメンテナンス状態に切り換えた状態で位置保持するためのロック機構を備える構成としてもよい。ロック機構としては、例えば、メンテナンス状態において開閉壁部５０とタンク本体部４６とにわたり、連結部材を連結してピンで固定して位置保持する構成、あるいは、チェーンで連結して位置保持する構成等がある。
【０１１４】
（６）開閉壁部５０が貯留状態に切り換わったことを検知するセンサ、あるいは、係止部材７７による保持状態、ロッド８８による係合状態等を検知するセンサ、及び、これらが検知していなければ報知処理する報知手段等を設ける構成としてもよい。報知手段としては、ランプを点灯して報知する構成、文字表示が可能な表示装置によりメッセージを表示して報知する構成、作業者の身体が触れる部材を振動させて報知する構成、音声やブザー音により報知する構成、あるいは、開閉壁部５０に小窓を設け、色の変化で報知する構成等の種々の構成が考えられる。また、図１９に示すように、上述した検知センサが検知していなければ、作業者に警告するとともに、エンジンＥの始動を牽制するエンジン牽制処理を実行する制御装置（図示せず）を備える構成としてもよい。
【０１１５】
（７）品質計測装置２０の取付け位置を前後方向に変更調整可能に構成するものでもよい。例えば、図１２に示すように、品質計測装置２０を支持する収納ケース２３の上部連結部３５がボルト連結される穀粒タンク７の上側縁部５１ａに、ボルト挿通孔１２２を複数形成する。それに加えて、第２補助フレーム６２に対する左側壁部４７側の連結部を位置を異ならせて複数形成し、収納ケース２３の位置を前後向きフレーム５８の長手方向にスライドさせて固定するように構成するものでもよい。
【産業上の利用可能性】
【０１１６】
本発明は、自脱型のコンバインの他、普通型のコンバインにも適用できる。
【符号の説明】
【０１１７】
７          穀粒タンク
２０        品質計測装置
４６        タンク本体部
５０        側板（開閉壁部）
５８        フレーム体（前後向きフレーム）
６１，６２  補助フレーム体
７６        連結装置
７７        係止部材
７９        係止溝
８０        操作レバー
８１        回動軸
８８        ロッド
８９        傾斜案内部材
Ｙ１        縦向き軸芯
【図１】
2020099365.tif 000003
【図２】
2020099365.tif 000004
【図３】
2020099365.tif 000005
【図４】
2020099365.tif 000006
【図５】
2020099365.tif 000007
【図６】
2020099365.tif 000008
【図７】
2020099365.tif 000009
【図８】
2020099365.tif 000010
【図９】
2020099365.tif 000011
【図１０】
2020099365.tif 000012
【図１１】
2020099365.tif 000013
【図１２】
2020099365.tif 000014
【図１３】
2020099365.tif 000015
【図１４】
2020099365.tif 000016
【図１５】
2020099365.tif 000017
【図１６】
2020099365.tif 000018
【図１７】
2020099365.tif 000019
【図１８】
2020099365.tif 000020
【図１９】
2020099365.tif 000021